(57)【特許請求の範囲】
【請求項１】
規則的に配列された赤、緑、青の画素要素の表示状態を変えることによって画像を表示する表示装置を有する画像表示システムにおいて、
赤、緑、青の信号レベルに相当する３つの画素要素データから構成された画素データを生成する画素データ生成部と、
赤、緑、青の信号レベルに相当する３つの画素要素データがそれぞれ画像を構成する最小単位となるように変換して、画素要素データを生成する画素要素データ生成部と、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記画素データ生成部で生成される画素データの画素数を上記表示装置の表示画素数と同じ値にする制御部と
を有することを特徴とする画像表示システム。
【請求項２】
上記画素データ生成部で生成される画素データの画素数を指定する操作を行う操作部を有し、
上記制御部は、上記第２の表示モードが選択されているときに、上記操作部によって上記画素データ生成部で生成される画素データの画素数として上記表示装置の表示画素数と異なる値が指定された場合に表示モードを上記第１の表示モードに切替える
ことを特徴とする請求項１に記載の画像表示システム。
【請求項３】
規則的に配列された赤、緑、青の画素要素の表示状態を変えることによって画像を表示する表示装置を有する画像表示システムにおいて、
赤、緑、青の信号レベルに相当する３つの画素要素データから構成された画素データを生成する画素データ生成部と、
上記画素データ生成部で生成される画素データの画素数を指定する操作部と、
赤、緑、青の信号レベルに相当する３つの画素要素データがそれぞれ画像を構成する最小単位となるように変換して、画素要素データを生成する画素要素データ生成部と、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択されているときに、上記操作部によって上記画素データ生成部で生成される画素データの画素数として上記表示装置の表示画素数と異なる値が指定された場合に表示モードを上記第１の表示モードに切替える制御部と
を有することを特徴とする画像表示システム。
【請求項４】
上記第１の表示モードが選択されているときに、上記画素データ生成部で生成される画素データの画素数として上記表示装置の表示画素数と異なる値が指定されている場合に、上記画素データ生成部において生成された画素データに補間処理を施して上記画素データ生成部から出力される画素データの画素数を上記表示装置の表示画素数に一致させることを特徴とする請求項１から３までのいずれかに記載の画像表示システム。
【請求項５】
上記表示装置に表示される画像の輪郭を強調する画像処理を実行する輪郭強調処理部を有し、
上記制御部は、上記第２の表示モードが選択された場合に上記輪郭強調処理部による輪郭を強調する画像処理を実行させない
ことを特徴とする請求項１から４までのいずれかに記載の画像表示システム。
【請求項６】
規則的に配列された赤、緑、青の画素要素の表示状態を変えることによって画像を表示する表示装置を有する画像表示システムにおいて、
赤、緑、青の信号レベルに相当する３つの画素要素データから構成された画素データを生成する画素データ生成部と、
赤、緑、青の信号レベルに相当する３つの画素要素データがそれぞれ画像を構成する最小単位となるように変換して、画素要素データを生成する画素要素データ生成部と、
上記表示装置に表示される画像の輪郭を強調する画像処理を実行する輪郭強調処理部と、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記輪郭強調処理部による輪郭を強調する画像処理を実行させない制御部と
を有することを特徴とする画像表示システム。
【請求項７】
上記制御部は、上記第２の表示モードが選択されているときに、上記輪郭を強調する画像処理を実行させる指令が入力された場合に表示モードを上記第１の表示モードに切替えることを特徴とする請求項５又は６のいずれかに記載の画像表示システム。
【請求項８】
上記表示装置に表示される画像の階調特性を制御する階調制御部を有し、
上記制御部は、上記第２の表示モードが選択された場合に上記表示装置に表示される画像の階調特性が上記画素要素データ生成部による処理内容に応じた特性になるように、上記階調制御部による処理を制御することを特徴と請求項１から７までのいずれかに記載の画像表示システム。
【請求項９】
規則的に配列された赤、緑、青の画素要素の表示状態を変えることによって画像を表示する表示装置を有する画像表示システムにおいて、
赤、緑、青の信号レベルに相当する３つの画素要素データから構成された画素データを生成する画素データ生成部と、
赤、緑、青の信号レベルに相当する３つの画素要素データがそれぞれ画像を構成する最小単位となるように変換して、画素要素データを生成する画素要素データ生成部と、
上記表示装置に表示される画像の階調特性を制御する階調制御部と、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記表示装置に表示される画像の階調特性が上記画素要素データ生成部による処理内容に応じた特性になるように、上記階調制御部による処理を制御する制御部と
を有することを特徴とする画像表示システム。
【請求項１０】
上記制御部は、上記第２の表示モードが選択されているときに、上記階調制御部により階調を変更させる指令が入力された場合に表示モードを上記第１の表示モードに切替えることを特徴とする請求項８又は９のいずれかに記載の画像表示システム。
【請求項１１】
上記表示装置の表示画素数に関する情報を記憶する記憶部を有することを特徴とする請求項１から１０までのいずれかに記載の画像表示システム。
【請求項１２】
規則的に配列された赤、緑、青の画素要素の表示状態を変えることによって画像を表示する表示装置を有する画像表示システムにおける画像表示方法であって、
画素データ生成部において、赤、緑、青の信号レベルに相当する３つの画素要素データから構成された画素データを生成し、
画素要素データ生成部において、赤、緑、青の信号レベルに相当する３つの画素要素データがそれぞれ画像を構成する最小単位となるように変換して、画素要素データを生成し、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記画素データ生成部で生成される画素データの画素数を上記表示装置の表示画素数と同じ値にする
ことを特徴とする画像表示方法。
【請求項１３】
上記第２の表示モードが選択されているときに、操作部によって上記画素データ生成部で生成される画素データの画素数として上記表示装置の表示画素数と異なる値が指定された場合に表示モードを上記第１の表示モードに切替えることを特徴とする請求項１２に記載の画像表示方法。
【請求項１４】
規則的に配列された赤、緑、青の画素要素の表示状態を変えることによって画像を表示する表示装置を有する画像表示システムにおける画像表示方法であって、
画素データ生成部において、赤、緑、青の信号レベルに相当する３つの画素要素データから構成された画素データを生成し、
操作部において、上記画素データ生成部で生成される画素データの画素数を指定し、
画素要素データ生成部において、赤、緑、青の信号レベルに相当する３つの画素要素データがそれぞれ画像を構成する最小単位となるように変換して、画素要素データを生成し、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択されているときに、上記操作部によって上記画素データ生成部で生成される画素データの画素数として上記表示装置の表示画素数と異なる値が指定された場合に表示モードを上記第１の表示モードに切替える
ことを特徴とする画像表示方法。
【請求項１５】
上記第１の表示モードが選択されているときに、上記画素データ生成部で生成される画素データの画素数として上記表示装置の表示画素数と異なる値が指定されている場合に、上記画素データ生成部において生成された画素データに補間処理を施して上記画素データ生成部から出力される画素データの画素数を上記表示装置の表示画素数に一致させることを特徴とする請求項１２から１４までのいずれかに記載の画像表示方法。
【請求項１６】
上記画像表示システムが、上記表示装置に表示される画像の輪郭を強調する画像処理を実行する輪郭強調処理部を有し、
上記第２の表示モードが選択された場合に上記輪郭強調処理部による輪郭を強調する画像処理を実行させないことを特徴とする請求項１２から１５までのいずれかに記載の画像表示方法。
【請求項１７】
規則的に配列された赤、緑、青の画素要素の表示状態を変えることによって画像を表示する表示装置を有する画像表示システムにおける画像表示方法であって、
画素データ生成部において、赤、緑、青の信号レベルに相当する３つの画素要素データから構成された画素データを生成し、
画素要素データ生成部において、赤、緑、青の信号レベルに相当する３つの画素要素データがそれぞれ画像を構成する最小単位となるように変換して、画素要素データを生成し、
輪郭強調処理部において、上記表示装置に表示される画像の輪郭を強調し、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記輪郭強調処理部による輪郭を強調する画像処理を実行させない
ことを特徴とする画像表示方法。
【請求項１８】
上記第２の表示モードが選択されているときに、上記輪郭を強調する画像処理を実行させる指令が入力された場合に表示モードを上記第１の表示モードに切替えることを特徴とする請求項１６又は１７のいずれかに記載の画像表示方法。
【請求項１９】
上記画像表示システムが、上記表示装置に表示される画像の階調特性を制御する階調制御部を有し、
上記第２の表示モードが選択された場合に上記表示装置に表示される画像の階調特性が上記画素要素データ生成部による処理内容に応じた特性になるように、上記階調制御部による処理を制御することを特徴と請求項１２から１８までのいずれかに記載の画像表示方法。
【請求項２０】
規則的に配列された赤、緑、青の画素要素の表示状態を変えることによって画像を表示する表示装置を有する画像表示システムにおける画像表示方法であって、
画素データ生成部において、赤、緑、青の信号レベルに相当する３つの画素要素データから構成された画素データを生成し、
画素要素データ生成部において、赤、緑、青の信号レベルに相当する３つの画素要素データがそれぞれ画像を構成する最小単位となるように変換して、画素要素データを生成し、
階調制御部において、上記表示装置に表示される画像の階調特性を制御し、
上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記表示装置に表示される画像の階調特性が上記画素要素データ生成部による処理内容に応じた特性になるように、上記階調制御部による処理を制御する
ことを特徴とする画像表示方法。
【請求項２１】
上記第２の表示モードが選択されているときに、上記階調制御部により階調を変更させる指令が入力された場合に表示モードを上記第１の表示モードに切替えることを特徴とする請求項１９又は２０のいずれかに記載の画像表示方法。
【発明の詳細な説明】
【０００１】
【発明の属する技術分野】
本発明は、解像度の調整、輪郭強調、階調制御等の画像処理機能を備えたパーソナルコンピュータ等の画像表示システム及びこのシステムにおける画像表示方法に関し、特に、偽色の発生を低減するための制御に関する。
【０００２】
【従来の技術】
図５（ａ）及び（ｂ）は、見かけの解像度を高める技術を説明するための図である。図において、１個の長方形は表示パネル（例えば、液晶パネル）の１個の画素要素を示し、長方形の中に記載された数字はそれぞれの画素要素を表示させるための画像信号の信号レベル（単位：％）を示す。また、表示パネルにおいて隣接する赤（Ｒ），緑（Ｇ），青（Ｂ）の３個の画素要素は、１個の画素を構成している。図５（ａ）に示されるような画素を最小単位とした表示方法（例えば、Ｒ，Ｇ，Ｂの各色の信号レベルが全て１００％である）を、図５（ｂ）に示されるような画素要素を最小単位とした表示方法（例えば、Ｒ，Ｇ，Ｂ，Ｒ（又はＧ，Ｂ，Ｒ，Ｇ或いはＢ，Ｒ，Ｇ，Ｂ）の各色の信号レベルが６０：１００：１００：４０である）に切替えることができる。図５（ｂ）に示されるような画素要素を最小単位とした表示方法を採用することによって見かけの解像度を向上させることができる。
【０００３】
図６（ａ）及び（ｂ）は、画像信号の補間処理を説明するための図である。図において、Ｐ１，Ｐ２，Ｐ３，Ｐ１２，Ｐ２３はそれぞれ、表示パネルに配列された画素を示し、各画素はＲ，Ｇ，Ｂの３色の画素要素から構成される。また、図における縦軸は、各画素要素を表示させる画像信号の信号レベルを示す（単位：％）。図６（ａ）及び（ｂ）は、同図（ａ）に示されるように３つの画素Ｐ１，Ｐ２，Ｐ３を表示させる画像信号に補間処理を施し、同図（ｂ）に示されるように画素Ｐ１２及びＰ２３を補間する場合を示している。画素Ｐ１２の信号レベルは、画素Ｐ１の信号レベル（０％）と画素Ｐ２の信号レベル（１００％）の平均値（５０％）であり、画素Ｐ２３の信号レベルは、画素Ｐ２の信号レベル（１００％）と画素Ｐ３の信号レベル（０％）の平均値（５０％）である。このような補間処理を行うことによって、生成された（又は入力された）画素データの画素数（例えば、８００×６００ドット）が、表示パネルの表示画素数（例えば、１０２４×７６８ドット）と異なっていても、表示パネルの全域に画像を表示させることができる。
【０００４】
【発明が解決しようとする課題】
しかしながら、図６（ｂ）に示されるような画像信号の補間処理を行うと同時に、図５（ｂ）に示されるような画素要素を最小単位とした表示方法（見かけの解像度を上げる処理）を行った場合には、表示パネル上の適切な表示位置から離れたところに知覚されるべきではない色が現れる、又は、適切な色とは違った色が表示されていると感じられるという偽色発生の問題があった。
【０００５】
図７（ａ）及び（ｂ）は、画像信号の補間処理と見かけの解像度を上げる処理を同時に行った場合に偽色が顕著になる理由を説明するための図である。図において、Ｐ０１，Ｐ１，Ｐ２，Ｐ３，Ｐ１２，Ｐ２３はそれぞれ、表示パネルに配列された画素を示す。また、図における縦軸は、各画素要素を表示させる画像信号の信号レベルを示す（単位：％）。図７（ａ）に示されるように、信号レベルが４０：１００：１００：６０であるＢ，Ｒ，Ｇ，Ｂの画素要素により形成された画像に補間処理を施した場合に、図７（ｂ）に示されるように、画素Ｐ０１に他の画素要素とは離れた信号レベル２０％のＢの画素要素が現われてしまう。この離れた位置に現われる画素要素により、ユーザーは、不自然な色が現われていると感じる。
【０００６】
そこで、本発明は上記したような従来技術の課題を解決するためになされたものであり、その目的とするところは、偽色の発生を低減させることができる画像表示システム及び画像表示方法を提供することにある。
【０００７】
【課題を解決するための手段】
請求項１の画像表示システムは、規則的に配列された赤、緑、青の画素要素の表示状態を変えることによって画像を表示する表示装置を有する画像表示システムであって、赤、緑、青の信号レベルに相当する３つの画素要素データから構成された画素データを生成する画素データ生成部と、赤、緑、青の信号レベルに相当する３つの画素要素データがそれぞれ画像を構成する最小単位となるように変換して、画素要素データを生成する画素要素データ生成部と、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記画素データ生成部で生成される画素データの画素数を上記表示装置の表示画素数と同じ値にする制御部とを有することを特徴としている。
【０００８】
また、請求項２の画像表示システムは、上記画素データ生成部で生成される画素データの画素数を指定する操作を行う操作部を有し、上記制御部が、上記第２の表示モードが選択されているときに、上記操作部によって上記画素データ生成部で生成される画素データの画素数として上記表示装置の表示画素数と異なる値が指定された場合に表示モードを上記第１の表示モードに切替えることを特徴としている。
【０００９】
また、請求項３の画像表示システムは、規則的に配列された赤、緑、青の画素要素の表示状態を変えることによって画像を表示する表示装置を有する画像表示システムであって、赤、緑、青の信号レベルに相当する３つの画素要素データから構成された画素データを生成する画素データ生成部と、上記画素データ生成部で生成される画素データの画素数を指定する操作部と、赤、緑、青の信号レベルに相当する３つの画素要素データがそれぞれ画像を構成する最小単位となるように変換して、画素要素データを生成する画素要素データ生成部と、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択されているときに、上記操作部によって上記画素データ生成部で生成される画素データの画素数として上記表示装置の表示画素数と異なる値が指定された場合に表示モードを上記第１の表示モードに切替える制御部とを有することを特徴としている。
【００１０】
また、請求項４の画像表示システムは、上記第１の表示モードが選択されているときに、上記画素データ生成部で生成される画素データの画素数として上記表示装置の表示画素数と異なる値が指定されている場合に、上記画素データ生成部において生成された画素データに補間処理を施して上記画素データ生成部から出力される画素データの画素数を上記表示装置の表示画素数に一致させることを特徴としている。
【００１１】
また、請求項５の画像表示システムは、上記表示装置に表示される画像の輪郭を強調する画像処理を実行する輪郭強調処理部を有し、上記制御部は、上記第２の表示モードが選択された場合に上記輪郭強調処理部による輪郭を強調する画像処理を実行させないことを特徴としている。
【００１２】
また、請求項６の画像表示システムは、規則的に配列された赤、緑、青の画素要素の表示状態を変えることによって画像を表示する表示装置を有する画像表示システムであって、赤、緑、青の信号レベルに相当する３つの画素要素データから構成された画素データを生成する画素データ生成部と、赤、緑、青の信号レベルに相当する３つの画素要素データがそれぞれ画像を構成する最小単位となるように変換して、画素要素データを生成する画素要素データ生成部と、上記表示装置に表示される画像の輪郭を強調する画像処理を実行する輪郭強調処理部と、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記輪郭強調処理部による輪郭を強調する画像処理を実行させない制御部とを特徴としている。
【００１３】
また、請求項７の画像表示システムは、上記制御部が、上記第２の表示モードが選択されているときに、上記輪郭を強調する画像処理を実行させる指令が入力された場合に表示モードを上記第１の表示モードに切替えることを特徴としている。
【００１４】
また、請求項８の画像表示システムは、上記表示装置に表示される画像の階調特性を制御する階調制御部を有し、上記制御部は、上記第２の表示モードが選択された場合に上記表示装置に表示される画像の階調特性が上記画素要素データ生成部による処理内容に応じた特性になるように、上記階調制御部による処理を制御することを特徴としている。
【００１５】
また、請求項９の画像表示システムは、規則的に配列された赤、緑、青の画素要素の表示状態を変えることによって画像を表示する表示装置を有する画像表示システムであって、赤、緑、青の信号レベルに相当する３つの画素要素データから構成された画素データを生成する画素データ生成部と、赤、緑、青の信号レベルに相当する３つの画素要素データがそれぞれ画像を構成する最小単位となるように変換して、画素要素データを生成する画素要素データ生成部と、上記表示装置に表示される画像の階調特性を制御する階調制御部と、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記表示装置に表示される画像の階調特性が上記画素要素データ生成部による処理内容に応じた特性になるように、上記階調制御部による処理を制御する制御部とを特徴としている。
【００１６】
また、請求項１０の画像表示システムは、上記制御部が、上記第２の表示モードが選択されているときに、上記階調制御部により階調を変更させる指令が入力された場合に表示モードを上記第１の表示モードに切替えることを特徴としている。
【００１７】
また、請求項１１の画像表示システムは、上記表示装置の表示画素数に関する情報を記憶する記憶部を有することを特徴としている。
【００１８】
また、請求項１２の画像表示方法は、規則的に配列された赤、緑、青の画素要素の表示状態を変えることによって画像を表示する表示装置を有する画像表示システムにおける画像表示方法であって、画素データ生成部において、赤、緑、青の信号レベルに相当する３つの画素要素データから構成された画素データを生成し、画素要素データ生成部において、赤、緑、青の信号レベルに相当する３つの画素要素データがそれぞれ画像を構成する最小単位となるように変換して、画素要素データを生成し、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記画素データ生成部で生成される画素データの画素数を上記表示装置の表示画素数と同じ値にすることを特徴としている。
【００１９】
また、請求項１３の画像表示方法は、上記第２の表示モードが選択されているときに、操作部によって上記画素データ生成部で生成される画素データの画素数として上記表示装置の表示画素数と異なる値が指定された場合に表示モードを上記第１の表示モードに切替えることを特徴としている。
【００２０】
また、請求項１４の画像表示方法は、規則的に配列された赤、緑、青の画素要素の表示状態を変えることによって画像を表示する表示装置を有する画像表示システムにおける画像表示方法であって、画素データ生成部において、赤、緑、青の信号レベルに相当する３つの画素要素データから構成された画素データを生成し、操作部において、上記画素データ生成部で生成される画素データの画素数を指定し、画素要素データ生成部において、赤、緑、青の信号レベルに相当する３つの画素要素データがそれぞれ画像を構成する最小単位となるように変換して、画素要素データを生成し、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択されているときに、上記操作部によって上記画素データ生成部で生成される画素データの画素数として上記表示装置の表示画素数と異なる値が指定された場合に表示モードを上記第１の表示モードに切替えることを特徴としている。
【００２１】
また、請求項１５の画像表示方法は、上記第１の表示モードが選択されているときに、上記画素データ生成部で生成される画素データの画素数として上記表示装置の表示画素数と異なる値が指定されている場合に、上記画素データ生成部において生成された画素データに補間処理を施して上記画素データ生成部から出力される画素データの画素数を上記表示装置の表示画素数に一致させることを特徴としている。
【００２２】
また、請求項１６の画像表示方法は、上記画像表示システムが、上記表示装置に表示される画像の輪郭を強調する画像処理を実行する輪郭強調処理部を有し、上記第２の表示モードが選択された場合に上記輪郭強調処理部による輪郭を強調する画像処理を実行させないことを特徴としている。
【００２３】
また、請求項１７の画像表示方法は、規則的に配列された赤、緑、青の画素要素の表示状態を変えることによって画像を表示する表示装置を有する画像表示システムにおける画像表示方法であって、画素データ生成部において、赤、緑、青の信号レベルに相当する３つの画素要素データから構成された画素データを生成し、画素要素データ生成部において、赤、緑、青の信号レベルに相当する３つの画素要素データがそれぞれ画像を構成する最小単位となるように変換して、画素要素データを生成し、輪郭強調処理部において、上記表示装置に表示される画像の輪郭を強調し、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記輪郭強調処理部による輪郭を強調する画像処理を実行させないことを特徴としている。
【００２４】
また、請求項１８の画像表示方法は、上記第２の表示モードが選択されているときに、上記輪郭を強調する画像処理を実行させる指令が入力された場合に表示モードを上記第１の表示モードに切替えることを特徴としている。
【００２５】
また、請求項１９の画像表示方法は、上記画像表示システムが、上記表示装置に表示される画像の階調特性を制御する階調制御部を有し、上記第２の表示モードが選択された場合に上記表示装置に表示される画像の階調特性が上記画素要素データ生成部による処理内容に応じた特性になるように、上記階調制御部による処理を制御することを特徴としている。
【００２６】
また、請求項２０の画像表示方法は、規則的に配列された赤、緑、青の画素要素の表示状態を変えることによって画像を表示する表示装置を有する画像表示システムにおける画像表示方法であって、画素データ生成部において、赤、緑、青の信号レベルに相当する３つの画素要素データから構成された画素データを生成し、画素要素データ生成部において、赤、緑、青の信号レベルに相当する３つの画素要素データがそれぞれ画像を構成する最小単位となるように変換して、画素要素データを生成し、階調制御部において、上記表示装置に表示される画像の階調特性を制御し、上記画素データ生成部から出力された画素データに基づいて上記表示装置に画像を表示させる第１の表示モードと上記画素要素データ生成部で生成された画素要素データに基づいて上記表示装置に画像を表示させる第２の表示モードのいずれかを選択する制御を行い、上記第２の表示モードが選択された場合に上記表示装置に表示される画像の階調特性が上記画素要素データ生成部による処理内容に応じた特性になるように、上記階調制御部による処理を制御することを特徴としている。
【００２７】
また、請求項２１の画像表示方法は、上記第２の表示モードが選択されているときに、上記階調制御部により階調を変更させる指令が入力された場合に表示モードを上記第１の表示モードに切替えることを特徴としている。
【００２８】
【発明の実施の形態】
実施の形態１
図１は、本発明の実施の形態１に係る画像表示システム（又は本発明の画像表示方法を実施する画像表示システム）の構成を示すブロック図である。
【００２９】
図１に示されるように、実施の形態１の画像表示システムは、表示装置１と、画像データを生成して出力する画像データ生成装置２と、両者間のデータ伝送を担う伝送路３と、操作部４とを有する。この画像表示システムは、例えば、パーソナルコンピュータ（ＰＣ）であるが、ＰＣ以外の装置であってもよい。また、表示装置１は、例えば、液晶モニターユニット又はＣＲＴユニットであるが、他の表示方式を採用した表示装置であってもよい。画像データ生成装置２は、例えば、ＰＣ本体である。伝送路３は、例えば、モニター用接続ケーブルである。操作部４は、例えば、キーボードやマウスである。但し、操作部４は、画像データ生成装置２に接続されたものに限らず、表示装置１に備えられ操作ボタン等も含む。図１においては、構成要素１から４までをそれぞれ独立した構成要素として記載しているが、本発明は、モニターユニット、ＰＣ本体、及び接続ケーブルが一体に構成された一体型ＰＣや、モニターユニット、ＰＣ本体、接続ケーブル、及び操作部が一体に構成されたノートブック型ＰＣにも適用できる。
【００３０】
図１に示されるように、表示装置１は、表示パネル１１と、その駆動部１２と、画像データ生成装置２から出力された画像データが入力される画像データ入力処理部１３とを有する。駆動部１２は、画像データ入力処理部１３に入力された画像データに基づいて、表示パネル１１に画像を表示させる。また、表示装置１は、表示パネル１１の表示画素数を含む情報（特性データ）を記憶している記憶部１４と、記憶部１４に記憶されている情報を伝送路３を介して画像データ生成装置２へ送出する特性データ送出部１５とを有する。記憶部１４は、例えば、ＲＯＭであり、記憶部１４には、製造段階において表示パネル１１の表示画素数等の特性データが記録される。記憶部１４は、必ずしも表示装置１内に備えられている必要はなく、画像データ生成装置２内等の他の位置に備えられてもよい。
【００３１】
また、図１に示されるように、画像データ生成装置２は、表示装置１の特性データ送出部１５から送出された特性データを受信し、表示パネル１１の表示画素数データを出力する特性データ受信部２１と、画像表示システム全体の動作を制御する制御部２２とを有する。さらに、画像データ生成装置２は、Ｒ，Ｇ，Ｂの信号レベルに相当する３つの画素要素データから構成された画素データ（即ち、Ｒ，Ｇ，Ｂの３色の画素要素で構成される画素を最小単位とした信号データ）を生成する画素データ生成部２３と、Ｒ，Ｇ，Ｂの信号レベルに相当する３つの画素要素データがそれぞれ画像を構成する最小単位となるように画素データ生成部２３から出力された画像データを変換して、画素要素データを生成する画素要素データ生成部２４と、画像データを伝送路３を介して表示装置１に送出する画像データ送出部２５とを有する。
【００３２】
画素データ生成部２３は、制御部２２からの画素数指定信号Ｓ１に基づく画素数の画素データを生成する。画素数の指定は、ユーザーが操作部４によって行う。この指定は、例えば、６４０×４８０ドット、８００×６００ドット、１０２４×７６８ドット等の予め決められた画素数（解像度）から選択することによって行われるが、他の入力方法であってもよい。また、指定する画素数は、上に例示した値に限定されない。尚、制御部２２は、画像表示システムの動作条件に応じて、後述するように、画素数指定信号Ｓ１を切り替える。
【００３３】
画素データ生成部２３は、生成された画素データをそのまま出力する場合と、生成された画素データに補間処理（又は間引き処理）を施して出力する場合とがある。画素データ生成部２３は、生成された画素データの画素数が表示パネル１１の表示画素数と異なる値である場合に、生成された画素データに補間処理を施して画素データの画素数を表示パネル１１の表示画素数に一致させて出力する機能を有する。補間処理は、例えば、図６（ａ）及び（ｂ）に示される処理である。但し、必ずしも両隣の画素の信号レベルの平均値の信号レベルを持つ画素を補間する処理である必要はなく、画素データの画素数を表示パネル１１の表示画素数に一致させることができる補間方法であれば他の補間方法を採用してもよい。このような補間処理により、画素データ生成部２３から出力される画素データの画素数を、表示パネル１１の表示画素数に一致させることができ、表示パネル１１の全域に画像を表示させることができる。
【００３４】
制御部２２は、画素データ生成部２３から出力された画素データに基づいて表示装置１に画像を表示させる第１の表示モードと、画素要素データ生成部２４で生成された画素要素データに基づいて表示装置１に画像を表示させる第２の表示モードのいずれかを選択する制御を行う。表示モードの選択は、制御部２２から出力される画像データ切替信号Ｓ２に基づいて、画素要素データ生成部２４が行う。画像データ切替信号Ｓ２は有効（画素要素データ生成部２４における変換処理を実行させる指令）及び無効（画素要素データ生成部２４における変換処理を実行せず画素データ生成部２３から出力された画素データを通過させるという指令）のいずれかの情報を含む。有効か無効かの選択は、ユーザーが操作部４で行うか、又は、制御部２２が決定する。画像データ切替信号Ｓ２が有効の場合には第２の表示モードとなり、画素要素データ生成部２４で生成される画素要素データを画像データとして画像データ送出部２５に出力する。画像データ切替信号Ｓ２が無効の場合には第１の表示モードとなり、画素データ生成部２３から出力された画素データを画像データとして画像データ送出部２５に出力する。画像データ送出部２５は、画像データを伝送路３を介して表示装置１に送出する。第２の表示モードが選択されたとき（図５（ｂ）に相当する表示モード）には、第１の表示モードが選択されたとき（図５（ａ）に相当する表示モード）に比べ、見かけの解像度を高めることができる。
【００３５】
実施の形態１の画像表示システム及び画像表示方法においては、画素要素データ生成部２４で生成された画素要素データに基づいて表示装置１に画像を表示させる第２の表示モードが選択された場合に、制御部２２は、画素データ生成部２３により生成される画素データの画素数を表示パネル１１の表示画素数と同じ値にする制御（即ち、画素数指定信号により指定される画素数を表示パネル１１の表示画素数に一致させる制御）を行う。この制御は、操作部４からのユーザーの操作によって、事前に表示装置１の表示画素数と異なる画素数が入力されていたときであっても実行される。この結果、画素データ生成部２３において生成される画素データに補間処理をさせずに、画素データ生成部２３から画素データを出力させることができる。
【００３６】
また、画素データ生成部２３から出力された画素データに基づいて表示装置１に画像を表示させる第１の表示モードが選択されている場合に、操作部４により指定された画素数が表示パネル１１の表示画素数と同じである場合には、そのまま画素データ生成部２３で生成された画素データを出力し、画素要素データ生成部２４及び画像データ送出部２５を通して画像データとして表示装置１に送出する。また、第１の表示モードが選択されている場合に、操作部４により指定された画素数が表示パネル１１の表示画素数と異なる場合には、制御部２２からの指令により、画素データ生成部２３は、生成された画素データに補間処理を施し、画素データ生成部２３から出力される画素データの個数を表示パネル１１の表示画素数に一致させる。
【００３７】
さらにまた、見かけの解像度を向上させる第２の表示モードが選択されているときに、表示パネル１１の表示画素数と異なる画素数が操作部４によって指定された場合には、制御部２２は、表示モードを第２の表示モードから第１の表示モードに切り替え、補間処理が施され画素データ生成部２３から出力された画素データを画像データとして表示装置１に送出する。但し、第２の表示モードが選択されているときに操作部４から表示画素数とは異なる画素数が指定されたとしても、その指令を無視させる制御又は「表示モードを第１の表示モードに切替える操作を実行した後に指定画素数の切替え操作を実行すること」を伝えるメッセージを表示させる制御等を実行してもよい。
【００３８】
以上説明したように、実施の形態１の画像表示システム及び画像表示方法によれば、画素要素データに基づいて画像を表示させる第２の表示モードを選択した場合には、画素データの指定画素数を表示パネル１１の表示画素数に一致させ、画素データ生成部２３における補間処理を不要としている。このように、実施の形態１の画像表示システム及び画像表示方法においては、画素要素データに基づいて画像を表示させる見かけの解像度を向上させる信号処理と、画素データ生成部２３による補間処理を同時に行うことはない。従って、実施の形態１の画像表示システム及び画像表示方法によれば、図７（ｂ）に示されているような偽色の発生を低減させることができる。
【００３９】
実施の形態２
図２は、本発明の実施の形態２に係る画像表示システム（又は本発明の画像表示方法を実施する画像表示システム）の構成を示すブロック図である。図２において、図１の構成と同一又は対応する構成には、同一の符合を付す。
【００４０】
図２に示されるように、実施の形態２の画像表示システムは、表示装置５の内部に、輪郭強調切替信号受信部１６と輪郭強調処理部１７とを有する。また、実施の形態２の画像表示システムは、画像データ生成装置６の内部に輪郭強調切替信号送出部２６を有する。
【００４１】
輪郭強調処理部１７は、表示パネル１１において隣接する画素間の信号レベルの差が大きい部分を検出し、意図的に信号レベルを変えることによりコントラストを強調する機能を持つ。輪郭を強調する画像処理の指示は、ユーザーによる操作部４からの操作によって行われる。輪郭を強調する画像処理が指示されると、制御部２２は、輪郭強調処理選択信号Ｓ３を輪郭強調切替信号送出部２６に出力する。輪郭強調切替信号送出部２６は、輪郭強調切替信号受信部１６に輪郭強調処理選択信号を送信する。輪郭強調切替信号受信部１６は、輪郭強調処理部１７に輪郭強調処理選択信号を送信する。輪郭強調処理部１７が輪郭強調処理選択信号が有効であることを検出すると、画像データ入力処理部１３に入力された画像データに輪郭を強調する画像処理を施す。このとき駆動部１２は、輪郭を強調する画像処理を施された画像データに基づいて表示パネル１１に画像を表示する。また、制御部２２が、第２の表示モードを選択しているときに、輪郭を強調する画像処理を実行させる指令が操作部４から入力された場合に表示モードを第１の表示モードに切替えるように、輪郭を強調する画像処理を表示モードより優先させる制御を行ってもよい。これらの構成以外の構成は上記実施の形態１の画像表示システムの構成と同様である。
【００４２】
輪郭を強調する画像処理により画素要素データ生成部２４で生成された画素要素データから構成される画像データを表示する際（即ち、第２の表示モードのときに輪郭を強調する画像処理を行う際）に、色つきが強調されて偽色が知覚されるという問題が生じることがあった。実施の形態２の画像表示システム及び画像表示方法においては、画素要素データ生成部２４で生成された画素要素データから構成される画像データに基づいて画像を表示する第２の表示モードを選択しているときには、輪郭を強調する画像処理を無効にするので、偽色の発生を低減させることができる。
【００４３】
実施の形態３
図３は、本発明の実施の形態３に係る画像表示システム（又は本発明の画像表示方法を実施する画像表示システム）の構成を示すブロック図である。図３において、図１又は図２の構成と同一又は対応する構成には、同一の符合を付す。
【００４４】
図３に示されるように、実施の形態３の画像表示システムは、画像データ生成装置６の内部に階調特性制御部２７を有する。この構成以外の構成は上記実施の形態１又は２の画像表示システムの構成と同様である。
【００４５】
実施の形態３の画像表示システム及び画像表示方法においては、制御部２２は画素数指定信号Ｓ１を画素データ生成部２３に出力すると同時に、画像データ切替信号Ｓ２を画素要素データ生成部９に出力する。ここで、制御部２２が画像データ切替信号Ｓ２を有効とした場合には、同時に階調特性指定信号Ｓ４を階調特性制御部２７に送出する。この階調特性指定信号Ｓ４で指定する階調特性値は、画像データ切替信号Ｓ２を有効とし画素要素データを生成し、これを画像データとして表示した時に画像を最適に表示できる値に設定される。制御部２２は、例えば、画素要素データ生成部２４で生成される画素要素データに関する各種情報と最適な階調特性とを関連付けた階調特性データ（ガンマ特性）を保持しており、生成された画素要素データに基づいて予め保持している階調特性データから最適な階調特性を選択し、選択された階調特性を示す階調特性指定信号Ｓ４を階調特性制御部２７に送出する。
【００４６】
このような制御により、画素要素データ生成部２４で生成される画素要素データに基づく画素要素を最小単位とした画像（第２の表示モード）を表示する際には、最適な階調特性が選択され、画素要素を最小単位とした画像表示と不適切な階調特性の組み合わせによって発生し得る偽色発生の不具合を低減させることができる。
【００４７】
実施の形態４
図４は、本発明の実施の形態４に係る画像表示システム（又は本発明の画像表示方法を実施する画像表示システム）の構成を示すブロック図である。図４において、図１から図３までのいずれかの構成と同一又は対応する構成には、同一の符合を付す。
【００４８】
図４に示されるように、実施の形態４の画像表示システムは、画像データ生成装置９の中に階調指定信号送出部２８を有する。また、実施の形態４の画像表示システムは、表示装置８の内部に、階調指定信号送出部２８から送出された階調特性指定データを受信する階調指定信号受信部１８と、所定の階調特性を設定し出力する階調特性設定部１９と、画像データ入力処理部１３により処理された画像データを設定された階調特性に調整し出力する階調特性制御部２０とを有する。この構成以外の構成は上記実施の形態１から３までの画像表示システムの構成と同様である。
【００４９】
表示装置８においては、制御部２２は画像信号を発生させる画素数指定信号Ｓ１を画素データ生成部８に出力すると同時に、画像データ切替信号Ｓ２を画素要素データ生成部９に出力する。ここで、制御部２２が画像データ切替信号Ｓ２を有効と指定し出力した場合には、同時に階調特性指定信号Ｓ５を階調指定信号送出部２８に送出する。階調指定信号送出部２８はこれを伝送路３を介して階調信号受信部１８に送出し、階調指定信号受信部１８はこれを階調特性設定部１９に出力し、階調特性設定部１９は所定の階調特性データを階調特性制御部２０に出力する。
【００５０】
階調特性制御部２０は、画像データ入力処理部１３により処理された画像データを所定の階調特性となるよう調整して出力する。このとき、指定する階調特性値は上記実施の形態３と同様に設定しておき、最適な階調特性に調整することにより画素要素単位による画像において色つきが発生するという不具合を低減させることができる。実施の形態４の画像表示システム及び画像表示方法によれば、上記実施の形態３の場合と同様の効果が得られる。
【００５１】
尚、上記実施の形態１から４までの構成を組み合わせることによって、画像表示システムを構成してもよい。例えば、画素要素データ生成部２４による見かけの解像度を向上させる処理、画素データ生成部２３による画素データの補間処理、輪郭強調処理部１７による輪郭を強調する画像処理、及び階調特性制御部２０又は２７による階調制御の中から２つ以上の画像処理を選択して実行できる機能を１つの画像表示システムに持たせることができる。
【００５２】
【発明の効果】
以上説明したように、請求項１，２，４，５，８，１１の画像表示システム及び請求項１２，１３，１５，１６，１９の画像表示方法によれば、第２の表示モードが選択された場合に画素データ生成部で生成される画素数を表示装置の表示画素数と同じ値にする制御を行っているので、画素要素データに基づいて画像を表示させる信号処理と、画素データ生成部により生成された画素データに補間処理を施して出力する処理とを同時に行うことはない。このため、偽色の発生を抑制できるという効果がある。
【００５３】
また、請求項３，４，５，８，１１の画像表示システム及び請求項１４，１５，１６，１９の画像表示方法によれば、画素データ生成部で生成される画素数を表示装置の表示画素数と異なる値に指定する場合に第１の表示モードを選択する制御を行っているので、画素要素データに基づいて画像を表示させる信号処理と、画素データ生成部により生成された画素データに補間処理を施して出力する処理とを同時に行うことはない。このため、偽色の発生を抑制できるという効果がある。
【００５４】
また、請求項６，７，８，１１の画像表示システム及び請求項１７，１８，１９の画像表示方法によれば、第２の表示モードが選択された場合に輪郭強調処理部による輪郭を強調する画像処理を実行させない制御を行っているので、画素要素データに基づいて画像を表示させる信号処理と、輪郭を強調する画像処理とを同時に行うことはない。このため、偽色の発生を抑制できるという効果がある。
【００５５】
また、請求項９，１０，１１の画像表示システム及び請求項２０，２１の画像表示方法によれば、第２の表示モードが選択された場合に階調特性制御部による階調制御処理を実行させない制御を行っているので、画素要素データに基づいて画像を表示させる信号処理と、階調制御処理とを同時に行うことはない。このため、偽色の発生を抑制できるという効果がある。
【図面の簡単な説明】
【図１】  本発明の実施の形態１に係る画像表示システムの構成を示すブロック図である。
【図２】  本発明の実施の形態２に係る画像表示システムの構成を示すブロック図である。
【図３】  本発明の実施の形態３に係る画像表示システムの構成を示すブロック図である。
【図４】  本発明の実施の形態４に係る画像表示システムの構成を示すブロック図である。
【図５】  （ａ）及び（ｂ）は、見かけの解像度を高める技術を説明するための図である。
【図６】  （ａ）及び（ｂ）は、画像信号の補間処理を説明するための図である。
【図７】  （ａ）及び（ｂ）は、見かけの解像度を高める処理と画像信号の補間処理を同時に行ったときに偽色が顕著になる理由を説明するための図である。
【符号の説明】
１，５，８  表示装置、  ２，６，７，９  画像データ生成装置、  ３  伝送路、  ４  操作部、  １１  表示パネル、  １２  駆動部、  １３  画像データ入力処理部、  １４  記憶部、  １５  特性データ送出部、  １６  輪郭強調切替信号受信部、  １７  輪郭強調処理部、  １８  階調指定信号受信部、  １９階調特性設定部、  ２０  階調特性制御部、  ２１  特性データ受信部、  ２２  制御部、  ２３  画素データ生成部、  ２４  画素要素データ生成部、  ２５  画像データ送出部、  ２６  輪郭強調切替信号送出部、  ２７  階調特性制御部、  ２８  階調指定信号送出部、  Ｓ１  画素数指定信号、  Ｓ２  画像データ切替信号、  Ｓ３  輪郭強調処理選択信号、  Ｓ４，Ｓ５  階調特性指定信号。
【図１】
0004703029.tif 000002
【図２】
0004703029.tif 000003
【図３】
0004703029.tif 000004
【図４】
0004703029.tif 000005
【図５】
0004703029.tif 000006
【図６】
0004703029.tif 000007
【図７】
0004703029.tif 000008